【手続補正書】
【提出日】平成18年12月28日(2006.12.28)
【手続補正１】
【補正対象書類名】明細書
【補正対象項目名】全文
【補正方法】変更
【補正の内容】
【書類名】      明細書  
【発明の名称】  建築用防振材
【特許請求の範囲】
【請求項１】  ２本の建築材が上下で交差する位置に配置される建築用防振材であって、
一方の建築材に固定される平板部と、
この平板部に立設した立上がり部とを有し、
この立上がり部に他方の建築材が接触して配置されるようにした建築用防振材。
【請求項２】  平板部に立設した立上がり部が平板部に複数個、立設されており、この複数個の立上がり部の間に建築材を装着するようにした請求項１に記載の建築用防振材。
【請求項３】  平板部に立設した立上がり部が１個立設されている請求項１に記載の建築用防振材。
【発明の詳細な説明】
【０００１】
【発明の属する技術分野】
本発明は、市街地にある住宅での車両、地下鉄による振動の伝播を防止するために、とくに、２階部分のための桁、根太との交差位置、フローリングのための支え床材と土台との交差位置に配置される、防音も兼ねた防振材に関する。
【０００２】
【従来の技術】
近年、市街地にある住宅での振動は、振動加速度が１ガルあるいは振動レベルが６０デシベル近くに達する場合が多くなり、そのため、桁（榔太材）と小榔太との間、フローリングのための支え床材と土台との間になどには、硬質ゴム、あるいは、発泡ウレタン製のマットが配置されるようになった。
【０００３】
この従来の防振マットは、根太、あるいは小根太に釘で直接固定し、その上からフローリング材根太、あるいは小根太に釘で直接固定し、その上からフローリングを敷き詰めている。しかし、折角防振材を使用していても、その取り付けを確実に行うためには、相当数の大径の釘材を使用しなければならず、この固定手段によって振動が床に直接伝わり、室内に伝播するという問題がある。
【０００４】
また、床面においては、根太に比較的厚い合板を釘で固定し、その合板に防振マットを接着剤で貼り付け、さらに、その上からフローリングを接着によって敷き詰めることも行われているが、工程と手間を有するばかりではなく、接着剤を多量に使用するという問題もある。
【０００５】
【発明が解決しようとする課題】
この発明が解決しようとする課題は、上記の従来の板状の防振材の欠点を解消して、その取り付け施工が簡単で、建築物の強度にも好結果を与えることができる防音、防振材を得ることにある。
【０００６】
【課題を解決するための手段】
この発明は、２本の建築材が上下で交差する位置に配置され、それ自体が防音、防振機能を持つゴム、弾性プラスチックスを成形した防振材であって、組み立てられる２本の建築材の中の一方の建築材に固定される平板部と、この平板部に立設した立上がり部とを有し、この立上がり部に組み立てられる２本の建築材の中の他方の建築材を接触状態で配置するようにしたことを特徴とする建築用防振材である。
【０００７】
立上がり部は、平板部に２個あるいはそれ以上の数を設けることができ、その立上がり部の間に、平坦部に取り付けた建築材と交差する建築材を挟み込んで装着し固定する。そして、その用途と装着する建築材のサイズに応じて、その間隔を違えたものを準備することによって効率よく利用できる。その立ち上がり部の高さは、その間に建築材を装着でき、任意に固定できる高さであればよい。
【０００８】
また、この立ち上がり部を１個にして断面をＬ字形とし、Ｌ字形の内側に建築材を密着して装着できる構造とすることもできる。
【０００９】
さらに、本発明の建築用防振材は、上下で交差する２本の建築材の何れか一方の上に平板部を配置し、他方の建築材を嵌合状態で装着できれば、その基本的な機能を達することができるが、施工の安定のためには、平板部と立ち上がりのそれぞれを釘のような任意の取り付け手段で取り付けるための小釘孔を設けておくのが、施工上、都合がよい。
【００１０】
【発明の実施の形態】
以下に、この発明の実施の形態を木造建築用に適用するため防振材の例を図１に示す。
【００１１】
図１（ａ）は、第１の実施例１０ａを示す。同図において、その防振材１０ａは、根太あるいは桁のような第１の建材に固定する平板部１１と、この第１の建材と上方あるいは下方で交差する小根太のような第２の建材をその間に嵌合装着するために、平板部１１に間隔を置いて２個立設した立ち上がり部１２からなる。１３は防振材１０ａを、それぞれの建築材に固定するための釘を通すための釘孔を示す。固定に際しては釘打ち以外の接着手段を採用することができ、釘孔１３の存在は必ずしも必須ではない。
【００１２】
図１（ｂ）は、第２の実施例１０ｂを示す。この実施例の場合は、平板部１１を両立ち上がり部１２の一方側のみに延長した例を示しており、この場合、両立ち上がり部１２の間に第２の建材を先に装着した後、第１の建材を平板部１１に取り付けるのに便利である。
【００１３】
図１（ｃ）は、他の実施例１０ｃを示す。同図において、その防振材１０ｃは平板部１１の長さを両立ち上がり部１２の間に装着される第２の建材の巾程度とし、その両端に立ち上がり部１２を設けたものである。
【００１４】
図１（ｄ）は、さらに他の実施例１０ｄを示す。同図において、その防振材１０ｄは、図１（ｃ）に示す実施例１０ｃにおける立ち上がり部１２の一方を無くしてその断面形状をＬ字形としたもので、第２の建材を装着するに際して、嵌合する必要がない分、取り付け作業が楽になる。
【００１５】
図１（ｅ）は、さらに他の実施例１０ｅを示す。同図において、その防振材１０ｅは、図１（ｄ）に示す実施例１０ｄの場合の一つ立ち上がり部１２の側に、平板部１１を延ばしたもので、図１（ｄ）の場合と対比して取り付けの安定性を増したものである。
【００１６】
さらに、図１（ｆ）は、さらに他の実施例１０ｆを示す。同図において、その防振材１０ｆは、第１の建材に対して、第２の建材が立設した構造部分に好適なものである。この場合、平板部１１に設けられた２個の立ち上がり部１２を長くし、その一方端部に裏板部１４を一体的に取り付けた構造を有するものである。
【００１７】
図２は、実際の木造建築に際して、この発明の図１（ａ）に示す建築用防振材１０を使用した防音防振構造を示す。同図に示すように、地面１に設置された布基礎２と土台（根太）３との間には従来の板状防振材４が施されている。そして、地面１に設置されたツカ石５上のツカ柱６によって根太３は支持されている。
【００１８】
本発明に係る防振材１０は、根太３と、この根太３上の構築されたフローリング７のための小根太８との間、１階の防音室Ａを構成するための胴縁９の間、さらには、２階の桁（根太）３と、この根太３上の構築された遮音材７１を介して設けられたフローリング７のための小根太８との間に配置されて使用される。
【００１９】
図３は、図２に示す根太３と小根太８の間に配置された防振材１０の使用形態を示す。同図に示すように、根太３上に、防振材１０の平板部を載置して固定し、この平板部材上に交差して載置される小根太８を防振材１０の２個の立上がり部の間に嵌合装着し、釘で固定したものである。なお、上記実施例においては、対象となる建築材が木材の場合を例に挙げて説明したが、建築材が鉄、アルミニウムのような金属、さらには、プラスチック材にも適用できる。
【００２０】
【発明の効果】
本発明の防振材によって、以下の効果を奏することができる。
【００２１】
１．  如何なる木造建築の建材の交差位置にも適用でき、連続した小振動と音響を効果的に吸収し、伝達を抑制することができる。
【００２２】
２．  取り扱い、取り付けも簡単で、各種建材の取り付け固定にも利用することができる。
【図面の簡単な説明】
【図１】  本発明の建築用防振材の実施例を示す。
【図２】  本発明の建築用防振材の使用箇所を示す。
【図３】  本発明に係る防振材の取り付けの形態を示す。
【符号の説明】
１  地面      ２  布基礎      ３  土台（根太）
４  従来の板状防振材      ５  ツカ石      ６  ツカ柱
７  フローリング      ７１  遮音材
８  小根太    ９  胴縁  
１０，１０ａ〜ｆ    本発明の防振材
１１  平板部      １２  立ち上がり部      １３  釘孔
１４  裏板部  Ａ  防音室